(57)【要約】【課題】  従来は、無線ＬＡＮ機器を初期化するには専用のハードウェアボタンを設けたり、工場に送り返す必要があってコストや時間がかかるという問題点があり、電源投入後、一定時間以内であれば簡単に初期化を実行することができる無線ＬＡＮ機器を提供する。【解決手段】  ウェブブラウザから閲覧可能で、初期化の指示を入力するための初期化画面を含む初期化専用画面を備え、制御部の初期化準備手段１３が、電源投入から予め設定された一定時間以内に、パーソナルコンピュータ２のウェブブラウザから初期化専用画面へのアクセスがあり、パーソナルコンピュータ２から入力されたログイン用の情報を認証すると、パーソナルコンピュータ２に初期化画面を表示させ、当該初期化画面で初期化の指示が入力されると、初期化実行手段１２が初期化を実行する無線ＬＡＮ機器としている。【選択図】        図１
2008011004.tif 000002
【特許請求の範囲】
【請求項１】
パーソナルコンピュータに接続される無線ＬＡＮ機器であって、
ウェブブラウザから閲覧可能で、初期化の指示を入力するための初期化画面を含む初期化専用画面を記憶する記憶部と、
電源投入から予め設定された一定時間以内に、前記パーソナルコンピュータのウェブブラウザから前記初期化専用画面へのアクセスがあり、前記パーソナルコンピュータから入力されたログイン用の情報を認証すると、前記パーソナルコンピュータに前記初期化画面を表示させ、当該初期化画面で初期化の指示が入力されると、初期化を実行する制御部とを備えたことを特徴とする無線ＬＡＮ機器。
【発明の詳細な説明】
【技術分野】
【０００１】
本発明は、無線ＬＡＮ機器及び無線ＬＡＮ機器の保守システムに係り、特に電源投入後の一定時間以内なら容易に無線ＬＡＮ機器を初期化することができる無線ＬＡＮ機器及び保守システムに関する。
【背景技術】
【０００２】
無線ＬＡＮ機器へのログインパスワードを忘れてしまった場合等、機器を初期化して工場出荷状態に戻したい場合がある。
従来の無線ＬＡＮ機器には、機器を初期化するための専用のハードウェアボタンが設けられており、利用者が機器を初期化したい場合には、このボタンを押下することで初期化プログラムが起動して、初期化が実行されるようになっていた。
また、別の方法としては、工場に送り返して初期化してもらう保守サポートがあった。
【０００３】
尚、無線ＬＡＮシステムの管理に関する従来技術としては、平成１３年１月１９日公開の特開２００１−１６２１９「無線ＬＡＮシステム」（出願人：株式会社日立国際電気、発明者：山本和宏）がある。
この従来技術は、親局の表示更新手段が、親局のＲＡＭに記憶されている子局管理テーブルを参照して、現在の接続台数を取得し、その台数を子局の接続状況として表示装置に表示出力するものであり、子局のユーザが、そのサービスエリアでデータ送受信を行うことができるか否かを容易に知ることができるものである。
【０００４】
【特許文献１】特開２００１−１６２１９号公報
【発明の開示】
【発明が解決しようとする課題】
【０００５】
しかしながら、従来の無線ＬＡＮ機器では、初期化するための専用のハードウェアボタンを設けると、装置コストや製造コストが増大し、また、工場に送り返して初期化する場合には、輸送等により時間がかかり、輸送や代替機の準備のためにコストが増大するという問題点があった。
【０００６】
本発明は上記実状に鑑みて為されたもので、電源投入後の一定時間以内に簡単に初期化を実行することができる無線ＬＡＮ機器及び無線ＬＡＮ機器の保守システムを提供することを目的とする。
【課題を解決するための手段】
【０００７】
上記従来例の問題点を解決するための本発明は、パーソナルコンピュータに接続される無線ＬＡＮ機器であって、ウェブブラウザから閲覧可能で、初期化の指示を入力するための初期化画面を含む初期化専用画面を記憶する記憶部と、電源投入から予め設定された一定時間以内に、パーソナルコンピュータのウェブブラウザから初期化専用画面へのアクセスがあり、パーソナルコンピュータから入力されたログイン用の情報を認証すると、パーソナルコンピュータに初期化画面を表示させ、当該初期化画面で初期化の指示が入力されると、初期化を実行する制御部とを備えたことを特徴としている。
【発明の効果】
【０００８】
本発明によれば、記憶部に、ウェブブラウザから閲覧可能で、初期化の指示を入力するための初期化画面を含む初期化専用画面を記憶しておき、制御部が、電源投入から予め設定された一定時間以内に、パーソナルコンピュータのウェブブラウザから初期化専用画面へのアクセスがあり、パーソナルコンピュータから入力されたログイン用の情報を認証すると、パーソナルコンピュータに初期化画面を表示させ、当該初期化画面で初期化の指示が入力されると、初期化を実行する無線ＬＡＮ機器としているので、無線ＬＡＮ機器の電源投入後、一定時間の間は、パーソナルコンピュータからの指示により容易に初期化を実行することができる効果がある。
【発明を実施するための最良の形態】
【０００９】
本発明の実施の形態について図面を参照しながら説明する。
本発明の無線ＬＡＮ機器は、初期化を指示する画面を含む初期化専用画面と、電源投入から一定時間を計時するタイマと、初期化専用画面を閲覧させる制御部を備え、制御部が、当該無線ＬＡＮ機器とＬＡＮケーブルで接続されたパーソナルコンピュータ（ＰＣ）のブラウザから初期化専用画面の初期化専用ＵＲＬへのアクセスがあると、タイマがタイムアップ前であって、当該パーソナルコンピュータが認証ＯＫであった場合に、当該パーソナルコンピュータに初期化画面を出力して、初期化画面上で初期化実行の指示が入力されると、初期化を実行するものであり、無線ＬＡＮ機器の電源投入から一定時間の間は正規のユーザが簡単且つ安全に初期化を実行することができるものである。
【００１０】
また、本発明の無線ＬＡＮ機器の保守システムは、保守サーバに、複数の無線ＬＡＮ機器に対応する初期化専用ＵＲＬを備え、無線ＬＡＮ機器が、当該無線ＬＡＮ機器とＬＡＮケーブルで接続されたパーソナルコンピュータ（ＰＣ）に、無線ＬＡＮ機器の電源投入後から一定時間のみ、保守サーバの初期化専用ＵＲＬへのアクセスを許可し、保守サーバは、ＰＣから初期化専用ＵＲＬにアクセスがあると、当該ＵＲＬに対応する無線ＬＡＮ機器宛に初期化コマンドを送出し、無線ＬＡＮ機器が、当該初期化専用ＵＲＬから初期化コマンドを受信すると、初期化を実行するものであり、無線ＬＡＮ機器の電源投入から一定時間の間は正規のユーザが簡単且つ安全に初期化を実行することができるものである。
【００１１】
図１は、本発明の第１の実施の形態に係る無線ＬＡＮ機器を用いた保守システムの機能構成ブロック図である。
図１に示すように、第１の実施の形態に係る無線ＬＡＮ機器（第１の無線ＬＡＮ機器）を用いた保守システムは、無線ＬＡＮ機器１と、パーソナルコンピュータ２とで構成され、パーソナルコンピュータ２はイーサネット（登録商標）等のＬＡＮケーブル等で無線ＬＡＮ機器１に接続されている。そして、パーソナルコンピュータ２からの操作で、無線ＬＡＮ機器１の初期化を可能とするものである。
【００１２】
そして、第１の無線ＬＡＮ機器１は、初期化アクセスタイマ１１と、初期化実行手段１２と、初期化準備手段１３とを備えている。
初期化アクセスタイマ１１は、初期化準備手段１３からの指示で起動／リセットし、予め設定されている一定時間を計時するものである。本無線ＬＡＮ機器１では、無線ＬＡＮ機器１に電源が投入されると、初期化準備手段１３によって初期化アクセスタイマ１１が起動されるようになっている。
初期化実行手段１２は、従来の無線ＬＡＮ機器にも設けられているものであるが、第１の無線ＬＡＮ機器１では、初期化準備手段１３から初期化の指示が入力されると、装置の初期化を実行するものである。
【００１３】
初期化準備手段１３は、第１の無線ＬＡＮ機器の特徴部分であり、ウェブサーバとしての機能を備え、パーソナルコンピュータ２からの初期化操作をサポートする初期化専用画面を閲覧させるものである。初期化専用画面は、各無線ＬＡＮ機器毎に対応する初期化用の画面であり、後述するように、「初期化専用ログイン画面」「初期化画面」「アクセスエラー画面」「認証エラー画面」を備えている。
【００１４】
そして、初期化準備手段１３は、パーソナルコンピュータ２のウェブブラウザから初期化専用画面に対応する初期化専用ＵＲＬにアクセスすることにより、初期化専用画面を閲覧可能としている。初期化専用ＵＲＬは、例えば「http://装置のIPアドレス/初期化ページ名.htm」又は「http://装置に割り当てられたドメイン名/初期化ページ名.htm」等である。
更に、初期化準備手段１３は、初期化アクセスタイマへの起動／リセットの指示及び監視、パーソナルコンピュータ２の認証、初期化実行手段１２への初期化の指示を行うものである。
【００１５】
具体的には、初期化準備手段１３は、電源が投入されると初期化アクセスタイマ１１を起動し、パーソナルコンピュータ２から初期化専用ＵＲＬへのアクセスがあった場合に、初期化アクセスタイマ１１がタイムアップしていないかどうかを監視して、タイムアップしていなければパーソナルコンピュータ２に初期化専用ログイン画面を表示するものである。
【００１６】
また、初期化準備手段１３は、予め、ログイン用の情報として、初期化の権限を持つ正規のユーザのログイン名及びパスワードの組を記憶しており、記憶しているログイン名及びパスワードと初期化専用ログイン画面から入力されたログイン名及びパスワードとを比較して、認証を行うものである。初期化準備手段１３は、ログイン名及びパスワードの組を、初期化専用ＵＲＬ毎に記憶しておいてもよい。
【００１７】
ここで、無線ＬＡＮ機器１及びパーソナルコンピュータ２の具体的な構成について図２を用いて説明する。図２は、パーソナルコンピュータ２の構成を示す構成ブロック図である。
図２に示すように、パーソナルコンピュータ２は、ＣＰＵ等で構成され、装置全体の制御を行う制御部２１と、制御部２１のワークメモリとしての主メモリ２２と、プログラムやデータを記憶する記憶部２３と、インタフェース２４とを備えている。主メモリ２２は、例えばＲＡＭ等で構成され、記憶部２３はハードディスク等で構成される。インタフェース２４は、ＬＡＮ、インターネット等のネットワークや、表示部２５、入力部２６等の周辺機器との接続を行う。
【００１８】
無線ＬＡＮ機器１も、図２に示したパーソナルコンピュータ２の構成とほぼ同様であるが、制御部２１、主メモリ２２、記憶部２３を、ＤＳＰ（Digital Signal Processor）やＦＰＧＡ（Field Programmable Gate Array）等で一体に構成しても構わない。
【００１９】
そして、図１に示した無線ＬＡＮ機器１の各処理手段は、図２に示した記憶部に予め記憶されている各手段に対応する処理プログラム（初期化プログラムや初期化準備プログラム）が制御部の動作により読み出されて、主メモリに展開されることによって実現されるものである。また、初期化専用画面のデータは、記憶部に記憶されている。
【００２０】
第１の無線ＬＡＮ機器を用いたシステムの動作について簡単に説明する。
第１の無線ＬＡＮ機器では、電源投入によって起動されてからの一定時間の間に、パーソナルコンピュータ２のウェブブラウザから、初期化準備手段１３が備えている初期化専用ＵＲＬへのアクセスがあると、当該パーソナルコンピュータ２のウェブブラウザにログイン名及びパスワードを入力する初期化専用ログイン画面を表示する。
【００２１】
そして、パーソナルコンピュータ２から、ログイン用の情報としてログイン名及びパスワードが入力されると、初期化準備手段１３が、予め記憶しているログイン名及びパスワードと比較して、認証ＯＫであれば、パーソナルコンピュータ２に、初期化と再起動の確認メッセージを含む「初期化画面」を表示させる。
【００２２】
そして、パーソナルコンピュータ２から初期化と再起動の指示が入力されると、初期化準備手段１３は初期化アクセスタイマ１１をリセットして初期化実行手段１２に初期化の実行を指示し、初期化実行手段１２が無線ＬＡＮ機器１の初期化及び再起動を行うようになっている。
尚、第１の無線ＬＡＮ機器では、初期化準備手段１３は、初期化ログイン画面における認証後も初期化アクセスタイマ１１による監視を続け、後述する初期化ボタンのクリックによって初期化と再起動の指示が入力されるまで、タイムアウトか否かを判断するようにしている。つまり、第１の無線ＬＡＮ機器の初期化準備手段１３は、電源投入後、初期化アクセスタイマ１１での監視を常時行い、イベント毎にタイムアウトか否かを判断し、タイムアウト後であれば、アクセスエラー画面を表示してユーザの指示を禁止するようになっている。そして、タイムアップ前に初期化ボタンがクリックされた場合に初期化の実行を指示するものである。
【００２３】
次に、第１の無線ＬＡＮ機器１の制御部における処理について図３を用いて説明する。図３は、第１の無線ＬＡＮ機器の制御部における初期化処理を示すフローチャート図である。
図３に示すように、第１の無線ＬＡＮ機器１では、電源が投入されると（１００）、装置を起動し（１０２）、制御部の初期化準備手段１３が初期化アクセスタイマ１１を起動する。
【００２４】
初期化準備手段１３は、パーソナルコンピュータ２から初期化専用ＵＲＬへのアクセスがあったかどうかを判断し（１０８）、アクセスがなかった場合には、初期化アクセスタイマ１１がタイムアップしたかどうかを判断し（１２２）、タイムアップしていれば、通常動作に移行して初期化処理を終わる。このように、電源投入後、一旦初期化アクセスタイマ１１がタイムアップしてしまったら、初期化専用ＵＲＬへのアクセスは不可能となる。
【００２５】
また、処理１０８でパーソナルコンピュータ２から初期化専用ＵＲＬへのアクセスがあった場合、初期化準備手段１３は、初期化アクセスタイマ１１がタイムアップしたかどうかを判断し（１１０）、タイムアップしていれば、パーソナルコンピュータ２に、初期化の時間外であるため初期化専用ＵＲＬにアクセスできないことを示す「アクセスエラー画面」を表示出力し（１２４）、通常動作に移行して初期化処理を終わる。
【００２６】
また、処理１１０でタイムアップしていない場合には、初期化準備手段１３は、パーソナルコンピュータ２に「初期化専用ログイン画面」を表示させる（１１２）。
そして、パーソナルコンピュータ２からログイン名とパスワードとが入力されると、初期化準備手段１３は、予め記憶している正規のユーザのログイン名及びパスワードと比較して認証ＯＫかどうかを判断する（１１４）。
【００２７】
処理１１４で認証ＯＫではなかった場合には、初期化準備手段１３は、認証が成功しなかったことを示す認証エラー画面をパーソナルコンピュータ２に表示出力し（１２６）、処理１０８に移行する。
【００２８】
処理１１４で認証ＯＫであれば、初期化アクセスタイマ１１がタイムアップしたかどうかを判断し（１１５）、タイムアップしていれば、処理１２４に移行してアクセスエラー画面を表示出力する。
処理１１５でタイムアップしていなければ、初期化準備手段１３は、初期化及び再起動の指示を入力するボタン（初期化ボタン）とを含む「初期化画面」を、パーソナルコンピュータ２に表示させる（１１６）。
【００２９】
そして、パーソナルコンピュータ２の画面において初期化ボタンがクリックされると（１１８）、初期化準備手段１３は、初期化アクセスタイマ１１がタイムアップしたかどうかを判断し（１１９）、タイムアップしていれば、処理１２４に移行してアクセスエラー画面を表示出力する。
また、処理１１９でタイムアップしていなければ、初期化準備手段１３は、初期化アクセスタイマ１１をリセットして、初期化実行手段１２に初期化の実行を指示し、初期化実行手段１２が装置の初期化を実行する（１２０）。このようにして第１の無線ＬＡＮ機器の制御部における処理が行われるものである。
【００３０】
すなわち、第１の無線ＬＡＮ機器は、電源投入後にパーソナルコンピュータ２から初期化専用ＵＲＬへのアクセスがあり、ログイン名及びパスワードによる認証がＯＫであり、初期化ボタンがクリックされるまでの一連の操作が初期化アクセスタイマ１１のタイムアップ前であった場合、つまり電源投入後から一定時間以内に初期化ボタンがクリックされた場合に、パーソナルコンピュータ２からの初期化を可能とするものである。これにより、第１の無線ＬＡＮ機器では、電源投入後一定時間の間に、予め登録された正規のユーザが初期化専用ＵＲＬにアクセスして、初期化の指示を入力した場合のみ、初期化を実行可能としている。
尚、ここでは初期化アクセスタイマ１１での監視を初期化実行まで行うことにしているが、例えば処理１１９と処理１１５を削除して、初期化専用ＵＲＬへのアクセスの段階までを監視する等、途中までを監視するように構成することも可能である。
【００３１】
本発明の第１の実施の形態に係る無線ＬＡＮ機器によれば、制御部に、一定時間を計時する初期化アクセスタイマ１１と、初期化専用画面をウェブブラウザから閲覧表示させる初期化準備手段１３を備え、初期化準備手段１３が、装置の電源投入時に初期化アクセスタイマ１１を起動し、ＬＡＮケーブルで接続されたパーソナルコンピュータ２のウェブブラウザから初期化専用画面を閲覧する初期化専用ＵＲＬへのアクセスがあると、更に初期化専用ログイン画面をパーソナルコンピュータ２に表示させ、ログイン名及びパスワードによる認証が為されると、パーソナルコンピュータ２に初期化画面を表示して、初期化の指示が入力されるまでの一連の動作が、初期化アクセスタイマ１１がタイムアップする前に行われた場合に、初期化実行手段１２に初期化の指示を出力して、初期化実行手段１２が装置の初期化を実行するようにしているので、電源投入時から一定時間以内であれば、正規のユーザが、パーソナルコンピュータ２から無線ＬＡＮ機器１の初期化を簡単且つ安全に行うことができる効果がある。
【００３２】
次に、本発明の第２の実施の形態に係る無線ＬＡＮ機器の保守システムについて説明する。
第２の実施の形態に係る無線ＬＡＮ機器の保守システムは、第１の無線ＬＡＮ機器の内部に設けられていた初期化準備手段１３を無線ＬＡＮ機器の外部に独立した装置として設けたものである。
【００３３】
図４は、本発明の第２の実施の形態に係る無線ＬＡＮ機器の保守システムの構成ブロック図である。
図４に示すように、第２の実施の形態に係る無線ＬＡＮ機器の保守システム（第２のシステム）は、図１に示すように、無線ＬＡＮ機器１′と、無線ＬＡＮ機器１′とＬＡＮケーブル４で接続されたパーソナルコンピュータ（ＰＣ）２′と、システム内の各々の無線ＬＡＮ機器１′の初期化を指示する保守サーバ３とから構成されている。保守サーバ３とパーソナルコンピュータ２′とはインターネットを介して接続されている。
【００３４】
各構成部分について具体的に説明する。
保守サーバ３のハードウェア構成は、図２に示した第１の保守システムにおけるパーソナルコンピュータ２及び無線ＬＡＮ機器１の構成とほぼ同様であり、ＣＰＵ等で構成される制御部と、制御部のワークメモリである主メモリと、プログラムやデータを記憶する記憶部と、インタフェースを備え、記憶部に各無線ＬＡＮ機器１′毎に対応する初期化専用画面を備えたウェブサーバである。そして、パーソナルコンピュータ２′のウェブブラウザ上で各無線ＬＡＮ機器１′に対応する初期化専用ＵＲＬを入力することによって、保守サーバ３の初期化専用画面へのアクセスが為されるようになっている。
【００３５】
また、保守サーバ３は、パーソナルコンピュータ２′からの要求にしたがって、アクセスされた初期化専用ＵＲＬに対応する無線ＬＡＮ機器１′に対して、初期化を指示する初期化コマンドを出力するものである。
また、保守サーバ３は、予め、初期化の権限を持つ正規のユーザのログイン名及びパスワードの組を記憶している。保守サーバ３は、ログイン名及びパスワードの組を、初期化専用ＵＲＬ毎に記憶しておいてもよく、この場合、無線ＬＡＮ機器毎に初期化を行うユーザを登録しておくものである。
【００３６】
無線ＬＡＮ機器１′のハードウェア構成は、図２に示した第１の無線ＬＡＮ機器とほぼ同様の構成であるが、制御部の処理が一部異なっており、図１に示した初期化準備手段１３は設けられていない。
第２のシステムの無線ＬＡＮ機器１′は、制御部に初期化実行手段１２を備え、保守サーバ３からの初期化コマンドが入力されると、初期化実行手段１２が装置の初期化を実行するようになっている。
【００３７】
また、無線ＬＡＮ機器１′は、初期化アクセスタイマ１１を備え、電源投入によって起動されてからの一定時間のみ、接続しているパーソナルコンピュータ２′に保守サーバ３の当該無線ＬＡＮ機器１′の初期化専用ＵＲＬへのアクセスを許可する初期化許可コマンドを出力するものである。そして、一定時間が経過すると、無線ＬＡＮ機器１′は、初期化禁止コマンドを出力して、初期化専用ＵＲＬへのアクセスを禁止する。
【００３８】
これにより、パーソナルコンピュータ２′は無線ＬＡＮ機器１′の電源投入後から一定時間の間だけ、初期化専用ＵＲＬへのアクセスが可能となり、保守サーバ３からの初期化コマンドによって簡単に無線ＬＡＮ機器１′の初期化を行うことができるものである。
【００３９】
パーソナルコンピュータ２′のハードウェア構成は、図２に示したパーソナルコンピュータ２と同様である。但し、制御部の処理が一部異なっており、パーソナルコンピュータ２′は、無線ＬＡＮ機器１′からの初期化許可コマンドを受けて、当該無線ＬＡＮ機器１′の初期化専用ＵＲＬへのアクセスが可能な状態となり、入力部２６からウェブブラウザにおいて初期化専用ＵＲＬが入力されると、保守サーバ３上の当該初期化専用ＵＲＬにアクセスして、初期化専用画面を表示するものである。
【００４０】
そして、無線ＬＡＮ機器１′の起動から一定時間が過ぎると、パーソナルコンピュータ２′は、無線ＬＡＮ機器１′からの初期化禁止コマンドを入力して、初期化専用ＵＲＬへのアクセスが禁止され、ウェブブラウザ上で入力部２６からの指示があっても初期化専用ＵＲＬへのアクセスはできない状態となる。
【００４１】
パーソナルコンピュータ２′に複数の無線ＬＡＮ機器１′が接続されている場合には、パーソナルコンピュータ２′は、無線ＬＡＮ機器１′毎に、初期化専用ＵＲＬへのアクセス許可／禁止の状態を保持しており、初期化許可コマンドの入力により、「アクセス許可」の状態になり、初期化禁止コマンドの入力により「アクセス禁止」の状態となるものである。
【００４２】
本システムの動作の概要について図２を用いて説明する。図２は、本システムの動作の概略を示す模式説明図である。
まず、無線ＬＡＮ機器１′の電源が投入されると（１）、無線ＬＡＮ機器１′の初期化アクセスタイマ１１が起動し、カウントを開始する（２）。そして、無線ＬＡＮ機器１′は、パーソナルコンピュータ２′に初期化専用ＵＲＬへのアクセスを許可する（３）。
【００４３】
パーソナルコンピュータ２′では、ユーザがウェブブラウザ上で当該無線ＬＡＮ機器１′の初期化専用ＵＲＬを入力して、アクセスを試みる（４）。初期化専用ＵＲＬは、例えば「http://装置のIPアドレス/初期化ページ名.htm」又は「http://装置に割り当てられたドメイン名/初期化ページ名.htm」等である。
【００４４】
ここで、パーソナルコンピュータ２′が、当該無線ＬＡＮ機器１′から初期化専用ＵＲＬへのアクセスが許可された状態であれば、ウェブブラウザは、保守サーバ３にアクセスして「初期化専用ログイン画面」を表示する。そして、初期化専用ログイン画面において、ユーザがログイン名とパスワードとを入力する（５）。
【００４５】
また、既に無線ＬＡＮ機器１′の電源投入から一定時間が経過して、初期化アクセスタイマ１１がタイムアップして、初期化禁止コマンドが入力されて初期化専用ＵＲＬへのアクセス禁止の状態になっていた場合には、パーソナルコンピュータ２′のウェブブラウザは、初期化専用ログイン画面ではなく、無線ＬＡＮ機器１′が送信した表示内容に従いアクセスエラー画面を表示する。
【００４６】
初期化専用ログイン画面からログイン名とパスワードとが入力されると、保守サーバ３は、当該ログイン名とパスワード名とが予め登録されている正規のユーザのログイン名及びパスワードの組であるか否かを判断し、認証ＯＫと判断する（６）と、パーソナルコンピュータ２′に、初期化と再起動の確認メッセージを含む「初期化画面」を表示させる（７）。
【００４７】
パーソナルコンピュータ２′で、初期化画面において初期化と再起動の指示が入力されると、保守サーバ３は、アクセスされた初期化専用ＵＲＬに対応する無線ＬＡＮ機器１′宛に初期化コマンドを出力する。初期化コマンドは、各無線ＬＡＮ機器１′の初期化実行手段１２に対して初期化を実行すると共に、装置の再起動を行うよう指示するコマンドである。
【００４８】
無線ＬＡＮ機器１′は、パーソナルコンピュータ２′を介して保守サーバ３からの初期化コマンドを受信すると、初期化プログラムを起動して初期化を実行し、装置の再起動を行う（９）。このようにして本システムの動作が行われるようになっている。
【００４９】
次に、無線ＬＡＮ機器１′の制御部の処理について、図３を用いて説明する。図３は、無線ＬＡＮ機器１′の制御部の初期化処理を示すフローチャート図である。
図３に示すように、無線ＬＡＮ機器１′の制御部は、電源が投入されると（２００）、装置を起動し（２０２）、更に、初期化アクセスタイマ１１を起動する（２０４）。
【００５０】
そして、無線ＬＡＮ機器１′の制御部は、パーソナルコンピュータ２′に初期化専用ＵＲＬへのアクセスを許可する初期化許可コマンドを出力する（２０６）。
そして、無線ＬＡＮ機器１′の制御部は、初期化アクセスタイマ１１がタイムアップしたかどうかを判断し（２０８）、タイムアップしていれば（Ｙｅｓの場合）、パーソナルコンピュータ２′に初期化専用ＵＲＬへのアクセスを禁止する初期化禁止コマンドを出力し（２２０）、通常動作に移行する。
【００５１】
また、処理２０８でタイムアップしていなければ（Ｎｏの場合）、無線ＬＡＮ機器１′の制御部は、初期化コマンドが入力されたか否かを判断し（２１０）、入力されていなければ、処理２０８に移行してタイマを監視する。
【００５２】
処理２１０で初期化コマンドが入力されると、無線ＬＡＮ機器１′の制御部は、初期化アクセスタイマ１１をリセットし（２１２）、パーソナルコンピュータ２′に初期化専用ＵＲＬへのアクセスを禁止する初期化禁止コマンドを出力し（２１４）、初期化プログラムを起動して初期化を実行し、再起動して（２１６）、通常動作に移行する。
このようにして無線ＬＡＮ機器１′の制御部における初期化処理が行われるものである。
これにより、無線ＬＡＮ機器１′の電源投入後から一定時間の間は、パーソナルコンピュータ２′からのアクセスによる保守サーバ３からの初期化コマンドで装置を初期化して工場出荷状態に戻すことが可能となるものである。
【００５３】
次に、本システムの保守サーバ３の制御部の動作について図４を用いて説明する。図４は、保守サーバ３の制御部の動作を示すフローチャート図である。
図４に示すように、保守サーバ３の制御部は、パーソナルコンピュータ２′から初期化専用ＵＲＬへのアクセスがあると（３００）、当該パーソナルコンピュータ２′に「初期化専用ログイン画面」を表示させる（３０２）。
【００５４】
そして、パーソナルコンピュータ２′からログイン名及びパスワードが入力されると（３０４）、保守サーバ３の制御部は、入力されたログイン名及びパスワードが、記憶されている正規のユーザのログイン名及びパスワードと一致するかどうかを判断し（３０６）、一致しない場合には認証エラーと判断して、認証エラー画面をパーソナルコンピュータ２に表示させ（３２０）、処理を終わる。
【００５５】
また、処理３０６で認証ＯＫと判断した場合には、保守サーバ３の制御部は、初期化及び再起動を確認するメッセージと、初期化及び再起動の指示を入力するボタン（初期化ボタン）とを含む「初期化画面」を、パーソナルコンピュータ２′に表示させる（３０８）。
【００５６】
そして、パーソナルコンピュータ２′の画面において初期化ボタンがクリックされると、保守サーバ３は、アクセスされた初期化専用ＵＲＬに対応する無線ＬＡＮ機器１に初期化コマンドを出力し（３１２）、処理を終了する。このようにして保守サーバ３の処理が行われる。
【００５７】
本発明の実施の形態に係る無線ＬＡＮ機器の保守システムによれば、保守サーバ３に、ウェブブラウザから閲覧可能で、各無線ＬＡＮ機器１′専用の初期化専用画面を複数備えておき、無線ＬＡＮ機器１′が、電源が投入されて起動されると、予め設定された一定時間のみ、ＬＡＮケーブルで接続されたパーソナルコンピュータ２′に初期化専用ＵＲＬへのアクセス許可を出力し、パーソナルコンピュータ２′がウェブブラウザ上で初期化専用ＵＲＬへのアクセスが指示されると、初期化専用ＵＲＬへのアクセス許可状態であれば、指示された初期化専用ＵＲＬへアクセスして初期化専用ログイン画面を表示し、ログイン名とパスワードが入力されて、保守サーバ３で認証されると、初期化画面を表示して、初期化の指示が入力されると保守サーバ３に出力し、保守サーバ３が初期化専用ＵＲＬに対応する無線ＬＡＮ機器１′に初期化コマンドを出力し、無線ＬＡＮ機器１′が初期化コマンドを受信して、初期化を実行するものであり、電源投入時から一定時間の間だけ、正規のユーザによって簡単且つ安全に初期化を実行できる効果がある。
【００５８】
また、本システムによれば、保守サーバ３が、権限のあるユーザのログイン名とパスワードとを予め記憶しておき、パーソナルコンピュータ２′から初期化専用ＵＲＬへのアクセスがあると、保守サーバ３がログイン名とパスワードの入力を促し、パーソナルコンピュータ２′からログイン名とパスワードが入力されると、保守サーバ３が記憶されているログイン名とパスワードと比較して認証を行い、認証された場合のみ初期化コマンドを出力するようにしているので、予め登録された初期化の権限のあるユーザのみが無線ＬＡＮ機器１′の初期化を行うことができるものであり、従来の初期化専用ボタンを押して初期化する方法に比べて、セキュリティを向上させることができる効果がある。
【００５９】
尚、上述した例では、無線ＬＡＮ機器１′は、パーソナルコンピュータ２を介してインターネット及び保守サーバ３に接続する構成であったが、無線ＬＡＮ機器１′がターミナルアダプタを介してインターネット及び保守サーバ３に接続する構成としてもよく、その場合にもユーザは同様の操作でパーソナルコンピュータ２′から初期化の操作を行うことが可能である。保守サーバ３からの初期化コマンドは、パーソナルコンピュータ２′を介さずに無線ＬＡＮ機器１′で受信することができる。
【００６０】
また、上述した例では、無線ＬＡＮ機器１′が予め初期化プログラムを備えているものとして説明したが、無線ＬＡＮ機器１′には初期化プログラムを備えておかず、初期化コマンドと一緒に保守サーバ３からダウンロードするようにしてもよい。
【００６１】
更に、ここでは無線ＬＡＮ機器の初期化についてのみ述べたが、初期化に限らず、例えば、無線ＬＡＮ機器が装置状態をセルフチェックする「自己診断モード」や、その他の各種「特殊モード」についても、同様に保守サーバ３上に各無線ＬＡＮ機器専用の自己診断専用用画面や特殊モード専用画面を用意しておき、パーソナルコンピュータ２′から対応する専用画面のＵＲＬにアクセスすることによって、保守サーバ３から「自己診断プログラム」や「特殊モード」のプログラムをダウンロードして無線ＬＡＮ機器１で実行することができ、無線ＬＡＮ機器の保守管理に関する様々な用途に用いることができるものである。
【００６２】
更にまた、ここでは無線ＬＡＮ機器について説明したが、一般のＬＡＮ機器にも適用可能であり、Ｗｅｂブラウザ方式以外にも、ＴｅｌｎｅｔやＳＮＭＰ（Simple Network Management Protocol）等の他のＬＡＮプロトコルを用いることも可能である。
【００６３】
尚、本システムを用いると、無線ＬＡＮ機器の電源投入後、一定時間は容易に初期化を実行できるが、セキュリティを確保するために、初期化専用ＵＲＬ、ログイン名、パスワードの情報は、権限のあるユーザ（例えばNDAを結んだＳＩベンダ）にのみ開示することが望ましい。
【産業上の利用可能性】
【００６４】
本発明は、電源投入時に容易に無線ＬＡＮ機器を初期化することができる無線ＬＡＮ機器及び無線ＬＡＮ機器の保守システムに適している。
【図面の簡単な説明】
【００６５】
【図１】本発明の第１の実施の形態に係る無線ＬＡＮ機器を用いた保守システムの機能構成ブロック図である。
【図２】パーソナルコンピュータ２の構成を示す構成ブロック図である。
【図３】第１の無線ＬＡＮ機器の制御部における初期化処理を示すフローチャート図である。
【図４】第２の実施の形態に係る無線ＬＡＮ機器の保守システムの構成ブロック図である。
【図５】第２のシステムの動作の概略を示す模式説明図である。
【図６】無線ＬＡＮ機器１′の制御部の処理を示すフローチャート図である。
【図７】保守サーバ３の制御部の動作を示すフローチャート図である。
【符号の説明】
【００６６】
１，１′…保守サーバ、  ２，２′…パーソナルコンピュータ、  ３…無線ＬＡＮ機器、  ４…ＬＡＮケーブル、  １１…初期化アクセスタイマ、  １２…初期化実行手段、  １３…初期化準備手段、  ２１…制御部、  ２２…主メモリ、  ２３…記憶部、  ２４…インタフェース、  ２５…表示部、  ２６…入力部
【図１】
2008011004.tif 000003
【図２】
2008011004.tif 000004
【図３】
2008011004.tif 000005
【図４】
2008011004.tif 000006
【図５】
2008011004.tif 000007
【図６】
2008011004.tif 000008
【図７】
2008011004.tif 000009